(57)【要約】【課題】簡単な構造として杖のグリップを握りやすくしながら安定して自立させる。【解決手段】イス兼用の杖は、拡開自在な三脚１と、三脚１の上端に折り畳み自在に連結している一対の座台プレート２と、座台プレート２を水平姿勢に支持する座台ストッパ３と、垂直姿勢に折り畳まれた座台プレート２の外側に位置する一対の傾動アーム４と、一対の傾動アーム４の先端部を連結してなる杖グリップ５と、傾動アーム４を垂直姿勢に保持するアームストッパ６とを備える。イス兼用の杖は、三脚１が開かれて、傾動アーム４が垂直姿勢から水平方向に傾動され、一対の座台プレート２が座台ストッパ３で水平姿勢となってイスに使用され、座台プレート２が垂直姿勢の折畳位置にあり、傾動アーム４の挟着隙間４０に、垂直姿勢で積層状態の座台プレート２が案内されて、傾動アーム４が傾動アーム４で座台プレート２を折畳位置に保持して杖として使用される。【選択図】図５
2010279627.tif 000002
【特許請求の範囲】
【請求項１】
拡開自在で開状態で垂直に自立できる三脚(1)と、この三脚(1)の上端に水平姿勢から垂直姿勢に折り畳みできるように連結している一対の座台プレート(2)と、この座台プレート(2)を水平姿勢に支持する座台ストッパ(3)と、前記三脚(1)の上端部に傾動できるように連結され、かつ垂直姿勢に折り畳まれた座台プレート(2)の外側に位置する一対の傾動アーム(4)と、一対の傾動アーム(4)の先端部を連結してなる杖グリップ(5)と、前記傾動アーム(4)を垂直姿勢に保持するアームストッパ(6)とを備えており、
前記一対の座台プレート(2)は、前記三脚(1)の上端縁に位置し、かつ水平方向に伸びる回転軸(21)を中心として垂直姿勢から水平姿勢に傾動できるように連結されて、垂直姿勢においては互いに積層状態にあり、水平姿勢にあっては同一平面に位置しており、
さらに、前記一対の傾動アーム(4)の間には、垂直姿勢であって折畳位置にある積層状態の座台プレート(2)を両面から挟んで折畳状態に保持する挟着隙間(40)を設けており、
前記三脚(1)が開かれて、前記傾動アーム(4)が垂直姿勢から水平方向に向かって傾動され、さらに前記一対の座台プレート(2)が座台ストッパ(3)で同一面内にある水平姿勢となってイスに使用され、
前記座台プレート(2)が垂直姿勢の折畳位置にあり、前記傾動アーム(4)の挟着隙間(40)に、垂直姿勢で積層状態の座台プレート(2)が案内されて、傾動アーム(4)がアームストッパ(6)で垂直姿勢に保持され、挟着隙間(40)で座台プレート(2)を折畳位置に保持して杖として使用されるようにしてなるイス兼用の杖。
【請求項２】
前記アームストッパ(6)が、座台プレート(2)と傾動アーム(4)との間に設けられてなる請求項１に記載されるイス兼用の杖。
【請求項３】
前記杖グリップ(5)が、グリップ(53)の高さを調整する長さ調整機構(54)を備える請求項１に記載されるイス兼用の杖。
【請求項４】
前記座台ストッパ(3)が、前記三脚(1)の上端部と座台プレート(2)との間に連結してなるストッパロッド(30)である請求項１に記載されるイス兼用の杖。
【請求項５】
前記三脚(1)がその上端部に上縁を水平面とする固定台(10)を備え、この固定台(10)に各々の座台プレート(2)を蝶番(20)を介して連結してなる請求項１に記載されるイス兼用の杖。
【発明の詳細な説明】
【技術分野】
【０００１】
本発明は、イスに兼用できる杖に関する。
【背景技術】
【０００２】
イスに兼用できる杖は開発されている。（特許文献１及び２参照）
特許文献１の杖は、図１に示すように上端に開閉できるように座台１０２を設けている。このイス兼用の杖は、座台１０２を垂直に折り畳んで杖に使用し、座台を水平に開いてイスに使用する。特許文献２のイス兼用の杖は、図２に示すように、直線状として杖に使用し、また、図３に示すように、上面に座台２０２を設けるように中間を折曲してイスに使用している。
【先行技術文献】
【特許文献】
【０００３】
【特許文献１】特開２００４−３４４６０９号公報
【特許文献２】特開２００４−２４２９６７号公報
【発明の概要】
【発明が解決しようとする課題】
【０００４】
特許文献１のイス兼用の杖は、構造が複雑で重くなる欠点がある。また、垂直姿勢に折り畳んだ座台を２列に並べてグリップに使用するので、グリップが太くなって握り難い欠点がある。さらに、特許文献２のイス兼用の杖は、構造が複雑で重くなることに加えて、１本の杖の中間を折曲して２本の脚２０１として使用するので、安定して自立するのが難しくなる欠点がある。
【０００５】
本発明は、以上の欠点を解決することを目的に開発されたものである。本発明の重要な目的は、簡単な構造で軽くでき、しかも杖のグリップを握りやすくしながら、安定して自立できるイス兼用の杖を提供することにある。
【課題を解決するための手段及び発明の効果】
【０００６】
本発明のイス兼用の杖は、拡開自在で開状態で垂直に自立できる三脚１と、この三脚１の上端に水平姿勢から垂直姿勢に折り畳みできるように連結している一対の座台プレート２と、この座台プレート２を水平姿勢に支持する座台ストッパ３と、三脚１の上端部に傾動できるように連結され、かつ垂直姿勢に折り畳まれた座台プレート２の外側に位置する一対の傾動アーム４と、一対の傾動アーム４の先端部を連結してなる杖グリップ５と、傾動アーム４を垂直姿勢に保持するアームストッパ６とを備えている。一対の座台プレート２は、三脚１の上端縁に位置し、かつ水平方向に伸びる回転軸２１を中心として垂直姿勢から水平姿勢に傾動できるように連結されて、垂直姿勢においては互いに積層状態にあり、水平姿勢にあっては同一平面に位置している。さらに、一対の傾動アーム４の間には、垂直姿勢であって折畳位置にある積層状態の座台プレート２を両面から挟んで折畳状態に保持する挟着隙間４０を設けている。イス兼用の杖は、三脚１が開かれて、傾動アーム４が垂直姿勢から水平方向に向かって傾動され、さらに一対の座台プレート２が座台ストッパ３で同一面内にある水平姿勢となってイスに使用され、座台プレート２が垂直姿勢の折畳位置にあり、傾動アーム４の挟着隙間４０に、垂直姿勢で積層状態の座台プレート２が案内されて、傾動アーム４がアームストッパ６で垂直姿勢に保持され、挟着隙間４０で座台プレート２を折畳位置に保持して杖として使用される。
【０００７】
以上のイス兼用の杖は、極めて簡単な構造で軽くでき、しかも杖のグリップを握りやすくしながら、安定して自立できる特徴がある。とくに、座台プレートを開かないようにして杖に使用できる特徴がある。
【０００８】
本発明のイス兼用の杖は、アームストッパ６を、座台プレート２と傾動アーム４との間に設けることができる。
この構造は、アームストッパの構造を極めて簡単にしながら、傾動アームを垂直姿勢に保持できる特徴がある。
【０００９】
本発明のイス兼用の杖は、杖グリップ５が、グリップ５３の高さを調整できる長さ調整機構５４を備えることができる。
この構造は、グリップをユーザーに最適な高さとして便利に使用できる特徴がある。
【００１０】
本発明のイス兼用の杖は、座台ストッパ３を、三脚１の上端部と座台プレート２との間に連結してなるストッパロッド３０とすることができる。
この構造は、簡単な座台ストッパでもって、座台プレートをしっかりと水平姿勢に支持できる特徴がある。
【００１１】
本発明のイス兼用の杖は、三脚１がその上端部に上縁を水平面とする固定台１０を備えて、この固定台１０に各々の座台プレート２を蝶番２０を介して連結することができる。
この構造によると、三脚に強固に座台プレートを連結できる特徴がある。
【図面の簡単な説明】
【００１２】
【図１】従来のイス兼用の杖の垂直断面図である。
【図２】従来の他のイス兼用の杖を杖として使用する状態を示す斜視図である。
【図３】図２のイス兼用の杖をイスとして使用する状態を示す斜視図である。
【図４】本発明の一実施例にかかるイス兼用の杖を杖として使用する状態を示す斜視図である。
【図５】図４に示すイス兼用の杖をイスとして使用する状態を示す斜視図である。
【図６】図５に示すイス兼用の杖の底面斜視図である。
【図７】図４に示すイス兼用の杖を変形する状態を示す斜視図である。
【図８】図４に示すイス兼用の杖を変形する状態を示す斜視図である。
【図９】図４に示すイス兼用の杖の三脚の断面側面図である。
【図１０】図５に示すイス兼用の杖の座台プレートの連結構造を示す分解斜視図である。
【図１１】図４に示すイス兼用の杖の垂直断面図である。
【図１２】図４に示すイス兼用の杖の杖グリップの分解斜視図である。
【発明を実施するための形態】
【００１３】
以下、本発明の実施例を図面に基づいて説明する。ただし、以下に示す実施例は、本発明の技術思想を具体化するためのイス兼用の杖を例示するものであって、本発明はイス兼用の杖を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図４ないし図８に示すイス兼用の杖は、拡開自在で開状態で垂直に自立できる三脚１と、この三脚１の上端に水平姿勢から垂直姿勢に折り畳みできるように連結してなる一対の座台プレート２と、この座台プレート２を水平姿勢に支持する座台ストッパ３と、三脚１の上端部に傾動できるように連結され、かつ垂直姿勢に折り畳まれた座台プレート２の外側に位置し、なおかつ先端を互いに連結してなる一対の傾動アーム４と、この傾動アーム４の先端に連結してなる杖グリップ５と、傾動アーム４を垂直姿勢に保持するアームストッパ６とを備えている。
【００１６】
三脚１は、伸縮できる中心ロッド１１と、この中心ロッド１１の上端部に傾動できるように連結している３本の傾動ロッド１２と、中心ロッド１１と３本の傾動ロッド１２の上端部に固定している固定台１０と、３本の傾動ロッド１２を所定の角度に開いた状態に停止する開ストッパ機構１３とを備えている。
【００１７】
中心ロッド１１は、筒体状で下端を開口している外筒１１Ａと、この外筒１１Ａに下端から挿入している伸縮ロッド１１Ｂとからなる。外筒１１Ａは円筒状で、その上端を固定台１０に垂直に固定している。伸縮ロッド１１Ｂは、３本の傾動ロッド１２を開いた状態で収縮され、傾動ロッド１２を中心ロッド１１と平行な姿勢に折り畳む状態で伸びて、傾動ロッド１２を折り畳み状態に固定する。伸縮ロッド１１Ｂは、収縮する状態で、その下端を、開いた状態の傾動ロッド１２の下端と同一面内に位置させる。この三脚１は、３本の傾動ロッド１２と中心ロッド１１の両方で座台プレート２の荷重を支持するので、しっかりと重い体重を支持できる。伸縮ロッド１１Ｂは、座台プレート２の荷重を支えるために、下端部に開ストッパ機構１３のストッパリング１４を固定している。このストッパリング１４は、伸縮ロッド１１Ｂの収縮位置において、外筒１１Ａの下端に当たって伸縮ロッド１１Ｂの収縮を停止する。
【００１８】
３本の傾動ロッド１２は、傾動できるようにその上端を中心ロッド１１の上端部、すなわち固定台１０に連結している。固定台１０は、傾動ロッド１２の上端の連結部をカバーする傘状カバー１６を備えている。傘状カバー１６は、各々の傾動ロッド１２の傾動方向をガイドするガイド溝１７を内側に設けている。
【００１９】
開ストッパ機構１３は、伸縮ロッド１１Ｂの下端部に固定しているストッパリング１４と、このストッパリング１４と３本の傾動ロッド１２とを連結している３本の連結アーム１５とを備える。ストッパリング１４は、上端面の外形を、外筒１１Ａの内形よりも大きくしており、図５に示すように、伸縮ロッド１１Ｂを収縮する状態で外筒１１Ａの下端に当接して、伸縮ロッド１１Ｂの収縮位置、すなわち伸縮ロッド１１Ｂの上昇位置を特定する。連結アーム１５は、一端をストッパリング１４の上端面に傾動できるように連結すると共に、他端を傾動アーム１２の内面に傾動できるように連結している。３本の連結アーム１５は、ストッパリング１４に、放射状に広がるように等間隔で連結している。
【００２０】
この開ストッパ機構１３は、図５と図６に示すように、伸縮ロッド１１Ｂを収縮位置として、３本の傾動ロッド１２を開く状態で、各々の連結アーム１５がストッパリング１４と傾動ロッド１２との間隔を特定して、各々の傾動ロッド１２を所定の角度に開いた状態に停止させる。さらに、開ストッパ機構１３は、伸縮ロッド１１Ｂを伸長させて３本の傾動ロッド１２を中心ロッド１１と平行な姿勢に折り畳む状態において、図９に示すように、各々の連結アーム１５が中心ロッド１１と平行な姿勢に傾動されて、伸縮ロッド１１Ｂの伸長位置、すなわちストッパリング１４の降下位置を特定する。図９の三脚１は、３本の傾動ロッド１２を折り畳む状態において、ストッパリング１４が、閉じられた３本の傾動ロッド１２の下端に位置するようにしている。以上の構造の開ストッパ機構１３において、開かれた傾動ロッド１２を停止させる角度と、傾動ロッド１２を折り畳んだ状態でのストッパリング１４の降下位置は、連結アーム１５と傾動ロッド１２との連結位置、及び連結アーム１５の長さで特定される。したがって、開ストッパ機構１３は、伸縮ロッド１１Ｂを収縮した状態で、伸縮ロッド１１Ｂの下端を、開いた状態の傾動ロッド１２の下端と同一面内に位置させながら、３本の傾動ロッド１２を所定の角度に停止できると共に、３本の傾動ロッド１２を折り畳んだ状態では、ストッパリング１４を、折り畳んだ３本の傾動ロッド１２の下端に位置できるように、連結アーム１５と傾動ロッド１２との連結位置、及び連結アーム１５の長さを決定している。
【００２１】
さらに、図４と図９に示す三脚１は、３本の傾動ロッド１２を中心ロッド１１と平行な姿勢に折り畳む状態で、傾動ロッド１２の下端が開くのを防止する拡開阻止機構７を備えている。図に示す拡開阻止機構７は、伸縮ロッド１１Ｂの下端部に配置されて、３本の傾動ロッド１２の下端部の外周に被せられる保持キャップ７１と、この保持キャップ７１を、傾動ロッド１２の下端部をカバーする保持位置に停止させる保持機構７２とを備えている。
【００２２】
保持キャップ７１は、伸縮ロッド１１Ｂに固定したストッパリング１４の外周をカバーする状態で配置している。この保持キャップ７１は、折り畳まれた３本の傾動ロッド１２の下端部を挿入できる筒状で、伸縮ロッド１１Ｂの軸方向に往復運動できるように伸縮ロッド１１Ｂに連結している。保持キャップ７１は、傾動アーム１２の下端部が挿入されるカバー筒部７１Ａと、伸縮ロッド１１Ｂの下端部が挿通されるスライド筒部７１Ｂとを有する。図の保持キャップ７１は、カバー筒部７１Ａを外径の大きい太筒部とすると共に、スライド筒部７１Ｂを外径の小さい細筒部としており、カバー筒部７１Ａとスライド筒部７１Ｂとを中間の段差部７１Ｃで連結する形状としている。カバー筒部７１Ａは、その内形を、ストッパリング１４の外形に沿う形状として、折り畳まれた３本の傾動ロッド１２の下端部を挿入できるようにしている。スライド筒部７１Ｂは、その内形を、伸縮ロッド１１Ｂの下端部の外形に沿う形状として、保持キャップ７１を伸縮ロッド１１Ｂの軸方向に往復運動できるようにしている。この保持キャップ７１は、図４と図９において上方に移動させて、３本の傾動アーム１２の下端部をカバー筒部７１Ａの内側に挿入して傾動アーム１２の下端が開かないように保持する。また、傾動アーム１２を開く時には、保持キャップ７１を、図４と図９において下方に移動させて、３本の傾動アーム１２の下端部からカバー筒部７１Ａを取り外す。
【００２３】
保持機構７２は、保持キャップ７１を上方に移動させてカバー筒部７１Ａで傾動アーム１２の下端部をカバーする状態で、保持キャップ７１が降下しないように保持する。図９に示す保持機構７２は、保持キャップ７１の外周面に設けた位置決めスリット７３と、この位置決めスリット７３を貫通して伸縮ロッド１１Ｂに固定してなる固定ピン７４とからなる。位置決めスリット７３は、平面視Ｌ字状のスリットで、伸縮ロッド１１Ｂの軸方向に伸びるスライド部７３Ａと、このスライド部７３Ａの下端に垂直に連結してなる係止部７３Ｂとからなる。保持キャップ７１は、位置決めスリット７３のスライド部７３Ａを固定ピン７４に沿って移動させる状態で、伸縮ロッド１１Ｂの軸方向に移動されて、３本の傾動アーム１２の下端部に脱着される。さらに、保持キャップ７１は、３本の傾動アーム１２の下端部をカバーする状態で、固定ピン７４を位置決めスリット７３の係止部７３Ｂに案内するように回転させて、傾動アーム１２の下端部をカバーする保持位置に係止される。この状態で、３本の傾動アーム１２は、保持キャップ７１でカバーされて、開かないように保持される。
【００２４】
固定台１０は、全体の形状を板状とし、下端を細くして傘状カバー１６を固定し、上端の幅を座台プレート２の横幅と同じ幅とし広くしている。さらに、固定台１０は、上端面を水平面として、この水平面の両側に一対の座台プレート２を載せて傾動できるように連結している。固定台１０は、その上端の水平面に、座台プレート２を連結する蝶番２０の回転軸２１を連結する複数の連結凸部１８を設けている。図１０の固定台１０は、中間の２カ所に連結凸部１８を設けている。連結凸部１８は、その上面を、水平姿勢に開かれた座台プレート２の上面と同一平面にしている。連結凸部１８は、２枚の座台プレート２を水平面の両側に傾動できるように連結するために、２本の回転軸２１をその両側に離して水平に固定している。固定台１０は、連結凸部１８の間とその両側に、座台プレート２の蝶番部２２を案内するガイド低部１９を設けている。ガイド低部１９は、その両側に一対の座台プレート２の蝶番部２２を案内して、連結凸部１８に固定している回転軸２１で傾動できるように連結される。この固定台１０は、２枚の座台プレート２を水平姿勢として同一面内に開くことができる。
【００２５】
一対の座台プレート２は同じ形状の板状で、好ましくは横幅を１０ｃｍ、長さを約１５ｃｍとする板状としている。座台プレート２は、水平姿勢に開いた状態での対向縁を固定台１０に傾動できるように連結して、三脚１の上端縁に連結している。固定台１０に連結するために、座台プレート２は、その対向縁に、蝶番部２２を突出して設けている。蝶番部２２の間には固定台１０の連結凸部１８を案内する凹部２３を設けている。座台プレート２の蝶番部２２は、固定台１０の連結凸部１８に連結している回転軸２１を挿入している。回転軸２１は、座台プレート２の蝶番部２２と固定台１０の連結凸部１８のいずれか一方に固定され、他方には回転できるように挿通されて、座台プレート２を傾動できるように固定台１０に連結する。この座台プレート２は、水平方向に伸びる回転軸２１を中心として、垂直姿勢から水平姿勢に傾動できるように固定台１０を介して三脚１に連結される。座台プレート２は、杖として使用するときは垂直姿勢に折り畳まれ、イスとして使用するときは、水平姿勢に開かれて同一面内に位置する。垂直姿勢の座台プレート２は、互いに積層された状態で折り畳まれる。
【００２６】
座台ストッパ３は、イスとして使用するときに、座台プレート２を水平姿勢に支持する。図５ないし図８の座台ストッパ３は、三脚１の上端部、正確には固定台１０と座台プレート２の下面との間に連結しているストッパロッド３０である。このストッパロッド３０は伸縮できるロッドで、収縮される長さを所定の長さに制限して、座台プレート２を水平姿勢に支持する。ストッパロッド３０は、図に示すように、水平姿勢における座台プレート２の下面に傾動できるように連結しているガイド筒３１と、このガイド筒３１に出入りできるように挿入されて下端を固定台１０に傾動できるように連結している連結ロッド３２とからなる。ガイド筒３１の上端をピン（図示せず）を介して連結するために、座台プレート２の下面には、突出部２４を設けている。ガイド筒３１を連結するピンは、この突出部２４と座台プレート２との間に挟むようにして固定している。ストッパロッド３０は、連結ロッド３２をガイド筒３１に出入りして伸縮させる。ガイド筒３１は、図５に示すように、座台プレート２を水平姿勢に開く状態で、その下端が固定台１０に当たって、座台プレート２を水平姿勢に支持する長さとしている。このストッパロッド３０は、座台プレート２が垂直姿勢に折り畳まれる状態では、図８に示すように、連結ロッド３２がガイド筒３１から引き出されて伸び、座台プレート２の外側面に沿うように収納される。図１１の座台プレート２と固定台１０は、伸長されたストッパロッド３０を案内する嵌着溝２５を設けて、ここにストッパロッド３０を入れている。この構造は、座台プレート２を垂直姿勢とする状態で、ストッパロッド３０の突出量を少なくできる。
【００２７】
一対の傾動アーム４は、垂直姿勢として折畳位置にある積層状態の座台プレート２を両面から挟んで折畳状態に保持する挟着隙間４０をその間に設けて、杖として使用する状態での下端を固定台１０を介して三脚１の上端部に傾動できるように連結している。図４の傾動アーム４は、固定台１０に設けている傘状カバー１６の両側に、その下端をピン４１を介して連結して、三脚１の上端部に傾動できるように連結している。傾動アーム４は、垂直姿勢として積層状態にある座台プレート２を挟着隙間４０に入れて、座台プレート２を開かないように折り畳み状態に保持する。挟着隙間４０は、ここに積層状態の座台プレート２を案内するので、その内幅は、積層状態にある一対の座台プレート２を入れて、開かないように保持できる幅、たとえば、積層状態にある座台プレート２との間に１ｍｍ〜５ｍｍの隙間ができる幅としている。図１１の座台プレート２は、底面に突出部２４を設けているので、この突出部２４と傾動アーム４とに間に１ｍｍ〜５ｍｍの隙間ができるようにしている。挟着隙間４０の長さは、積層状態にある座台プレート２と固定部１０とを案内できる長さとしている。一対の傾動アーム４は、一緒に傾動されるように、その先端部を、杖グリップ５を介して互いに連結している。
【００２８】
杖グリップ５は、両方の傾動アーム４の先端に固定されて、一対の傾動アーム４を連結する連結台５１と、この連結台５１に連結しているフック状のグリップ部５２とからなる。図の杖グリップ５は、グリップ部５２の握り部であるグリップ５３を湾曲するフック状としているが、グリップはＴ字状、あるいはＬ字状などと杖として最適な種々の形状とすることができる。
【００２９】
さらに、図１２に示す杖グリップ５は、グリップ５３の高さを調整できるように、連結台５１とグリップ部５２とを長さ調整機構５４を介して連結している。図に示す長さ調整機構５４は、連結台５１の上端面の中心に垂直姿勢で設けた連結ロッド５５と、グリップ部５２の下端部に設けられて、連結台５１の連結ロッド５５が挿入される連結筒５６と、連結ロッド５５と連結筒５６の相対位置を特定する連結具５７とを備える。連結台５１は、上端面の中心に垂直姿勢の連結ロッド５５を固定している。この連結ロッド５５は、中心軸に対して垂直な方向に貫通する複数の貫通孔５５ａを所定の間隔で設けている。グリップ部５２は、フック状のグリップ５３の下端に、連結ロッド５５が挿入される連結筒５６を連結して設けている。この連結筒５６は、連結ロッド５５を挿入できる内形としており、中心軸に対して垂直な方向に貫通する複数の貫通孔５６ａを所定の間隔で設けている。連結具５７は、連結筒５６の貫通孔５６ａと連結ロッド５５の貫通孔５５ａに挿通されて、連結筒５６と連結ロッド５５との相対位置を特定する連結ピン５７Ａや連結ボルトである。図に示す連結具５７は連結ピン５７Ａで、連結筒５６と連結ロッド５５とを貫通する状態で抜けないように、後端に鍔部５７ａを有すると共に、先端部に留め具５７Ｂを連結している。連結ボルトである連結具は、ナット等の留め具を挿通して抜けないように配置される。以上の杖グリップ５は、長さ調整機構５４によって、連結台５１とグリップ部５２との連結位置を変更して、グリップ５３を最適な高さに調整できる。
【００３０】
アームストッパ６は、杖として使用するときに、傾動アーム４を垂直姿勢に保持する。図１１のアームストッパ６は、座台プレート２と傾動アーム４との間に設けている。このアームストッパ６は、傾動アーム４に上下に移動できるようにストッパ片６０を設けており、このストッパ片６０が案内されるストッパ凹部２６を座台プレート２の底面の突出部２４に設け、ストッパ片６０をストッパ凹部２６に入れて、傾動アーム４を傾動しない構造としている。ストッパ片６０は、傾動アーム４の外側に突出する操作部６１と、内側に突出してストッパ凹部２６に案内される係止凸部６２とからなり、操作部６１と、係止凸部６２とを、傾動アーム４に設けたスリット４２に案内している連結部６３で連結している。このアームストッパ６は、傾動アーム４の挟着隙間４０に座台プレート２を入れる状態で、操作部６１を押し下げて、係止凸部６２をストッパ凹部２６に入れて、傾動アーム４の傾動を阻止する。
【符号の説明】
【００３１】
１…三脚
２…座台プレート
３…座台ストッパ
４…傾動アーム
５…杖グリップ
６…アームストッパ
７…拡開阻止機構
１０…固定台
１１…中心ロッド                １１Ａ…外筒
１１Ｂ…伸縮ロッド
１２…傾動ロッド
１３…開ストッパ機構
１４…ストッパリング
１５…連結アーム
１６…傘状カバー
１７…ガイド溝
１８…連結凸部
１９…ガイド低部
２０…蝶番
２１…回転軸
２２…蝶番部
２３…凹部
２４…突出部
２５…嵌着溝
２６…ストッパ凹部
３０…ストッパロッド
３１…ガイド筒
３２…連結ロッド
４０…挟着隙間
４１…ピン
４２…スリット
５１…連結台
５２…グリップ部
５３…グリップ
５４…長さ調整機構
５５…連結ロッド                ５５ａ…貫通孔
５６…連結筒                    ５６ａ…貫通孔
５７…連結具                    ５７ａ…鍔部
５７Ａ…連結ピン
５７Ｂ…留め具
６０…ストッパ片
６１…操作部
６２…係止凸部
６３…連結部
７１…保持キャップ              ７１Ａ…カバー筒部
７１Ｂ…スライド筒部
７１Ｃ…段差部
７２…保持機構
７３…位置決めスリット          ７３Ａ…スライド部
７３Ｂ…係止部
７４…固定ピン
１０２…座台
２０１…脚
２０２…座台
【図１】
2010279627.tif 000003
【図２】
2010279627.tif 000004
【図３】
2010279627.tif 000005
【図４】
2010279627.tif 000006
【図５】
2010279627.tif 000007
【図６】
2010279627.tif 000008
【図７】
2010279627.tif 000009
【図８】
2010279627.tif 000010
【図９】
2010279627.tif 000011
【図１０】
2010279627.tif 000012
【図１１】
2010279627.tif 000013
【図１２】
2010279627.tif 000014